(57)【要約】      （修正有）【課題】アトピー性皮膚炎を患っている乳幼児が着用することにより、このアトピー性皮膚炎に悪影響を与えず掻きむしりを防ぎ、着用が楽な肌着や寝間着を提供する。【解決手段】胴体身頃部２と両長袖部３及びこの両長袖部３に続く両手袋部４を連続して編み上げると共に首周り開口部５を大きく開放した構成とする。手袋部４を５本指構成とした際は、その指先にポンポンを形成して掻きむしりが出来ないようにする。【選択図】図１
0003156960.tif 000002
【実用新案登録請求の範囲】
【請求項１】
胴体部と両長袖部及びこの両長袖部に続く両手袋部を連続して編み上げると共に首周りの開口部を大きく開放して成るメリヤス無縫製衣服。
【請求項２】
前記手袋部は、５本指構成又は親指と他の指を２つに分けた構成又は無指構成であることを特徴とする請求項１に記載のメリヤス無縫製衣服。
【請求項３】
前記手袋部の表面には、すべり層が形成されていることを特徴とするメリヤス無縫製衣服。
【請求項４】
前記首周り開口部の大きさを少くとも着用する者の頭の大きさ以上に形成して成ることを特徴とする請求項１に記載のメリヤス無縫製衣服。
【請求項５】
前記手袋を５本指構成とした際は、その指先にポンポンを形成したことを特徴とする請求項１に記載のメリヤス無縫製衣服。
【考案の詳細な説明】
【技術分野】
【０００１】
本考案は、主としてアトピー性皮膚炎の患者が着用する寝間着あるいは肌着として有効なメリヤス無縫製衣服に関する。
【背景技術】
【０００２】
アトピー性皮膚炎などの皮膚が痒くなる疾患にかかっている乳幼児や子供の場合、その痒みを我慢できず、あるいは特に入眠中には無意識のうちに掻きむしってしまい、炎症を更に悪化させてしまうことから、特に母親はこの対応に悩まされているのが現状である。
【０００３】
そこで、掻きむしりを防ぐ手袋として、掻きむしり防止用の手袋が提案されている。例えば特開２００６−１１６２７８号、同２００４−３５３１３７号公報、同２００１−０７３２０９号公報、特開平０９−０５９８０９号公報等。
【０００４】
しかし、これら公知の手袋の場合、掻きむしり防止だけに注目が集っているが、手袋だけを手先に付けた場合、確に掻きむしりには効果があるが、手袋が抜けないように手首に縛り付けるか、ゴム等で締め付ける必要があることから、返って手首が痒くなり、苦痛を伴って夜泣き等の原因となる。
【０００５】
このような問題を解消するために、上衣の両長袖に続いて手袋部を一体に形成することにより、縛りや締め付けのない掻きむしり防止衣服が特開２００７−３０８８２８号公報に紹介されている。
【０００６】
しかし、この衣服の場合、両袖をファスナーを用いて衣服の胴体部の両脇に留めてしまうことで手の動きを強制的に止めてしまうものであることから、これはあまりにも苛酷な掻きむしり防止手段という他ない。
【０００７】
また、ファスナーを用いた場合、寝間着の場合には肌にファスナーが直接触れて逆に痒みを増長させてしまうことになる。
【０００８】
更に、この肌着の場合、首周り開口部が小さく、このためにボタンを取り外して開口部を大きくすることにより着たり脱いだりするようになっているが、アトピー性皮膚炎は特に首周りに炎症が集中する傾向があり、前記のように首周り開口部が小さいと、擦れてこの首周りの炎症を更に悪化させてしまうという問題がある。
【０００９】
その他、長袖上着の両袖の先に手袋を一体に形成したアトピー性皮膚炎患者等の肌着として、特開平０８−１９９４０１号公報には、前記上着の首周りをタートルネックとなし、腹部にバックル付の布ベルトを装着した内容のものが紹介されている。
【００１０】
しかし、この公知例のものも、首周りに炎症のある患者にタートルネックは不適であり、ベルト等を装着しているために寝間着としては不向きであることから、乳幼児用の肌着としては実用的でない。
【先行技術文献】
【特許文献】
【００１１】
【特許文献１】特開２００６−１１６２７号公報
【特許文献２】特開２００４−３５３１３７号公報
【特許文献３】特開２００１−０７３２０９号公報
【特許文献４】特開平０９−０５９８０９号公報
【特許文献５】特開２００７−３０８８２８号公報
【特許文献６】特開平０８−１９９４０１号公報
【考案の概要】
【考案が解決しようとする課題】
【００１２】
本考案の課題は、アトピー性皮膚炎等の各種湿疹性疾患を有する特に乳幼児用肌着あるいは寝間着等において、これら肌着や寝間着が痒みを増す原因とならないようにすることである。
【課題を解決するための手段】
【００１３】
上記課題を解決するため、請求項１に記載の衣服においては胴体身頃と両長袖及びこの両長袖に続く両手袋を連続して編み上げると共に首周りの開口部を大きく開放して成ることを特徴とするものである。
【００１４】
更に、請求項２に記載の考案は、請求項１に記載の衣服において、手袋は、５本指構成又は親指と他の指を２つに分けた構成又は無指構成であることを特徴とするものである。
【００１５】
更に、請求項３に記載の考案は、手袋の表面には、すべり層が形成されていることを特徴とするものである。
【００１６】
更に、請求項４に記載の考案は、請求項１に記載の衣服において、首周りの開口部の大きさを少くとも着用する者の頭の大きさ以上に形成して成ることを特徴とするものである。
【考案の効果】
【００１７】
本考案の効果は次のとおりである。
１．胴身頃及び両袖、手袋をメリヤス製としたことにより、縫い目の一切無い肌着や寝間着とすることができる。この結果、従来の衣服のように、縫い目が肌を刺激しない。
２．首周り開口部を大きく開いたことにより、アトピー性皮膚炎が特に集中しやすい首周りにおいて肌着や寝間着の開口縁部で擦れ、患部を刺激しない。
３．首周り開口部を頭以上の大きさとしたことにより、肌着の着脱に無理が無く、着脱時に首等の湿疹部を擦ることがない。
４．メリヤス製のため、伸縮性に富み着用感が良い。
【図面の簡単な説明】
【００１８】
【図１】本考案に係る肌着の説明図である。
【図２】手袋部分を滑らかに形成した実施例の説明図である。
【図３】５本指の先端にポンポンを形成した実施例の説明図である。
【考案を実施するための形態】
【００１９】
本考案は、アトピー性疾患を抱える乳幼児用として有効な肌着又は寝間着に関し、詳しくは、患部に刺激を与えない構造である。
【００２０】
この構造として、肌着は、全体をメリヤス（編み物）製としたことである。このように、メリヤス製としたとき、胴体部、両袖部、手袋部を連続して編み上げることができるため、縫い目の無い肌着とすることができる。
【００２１】
肌着において、縫い目が無いことは、患部に対する刺激が劇的に軽減される。材質は、綿糸を用いて編み上げ、混紡糸は使用しない。
【実施例】
【００２２】
図１及び図２及び図３に基づいて本考案の実施例を詳細に説明する。
【００２３】
図１は肌着全体を示す正面図、図２は手袋部分の断面図、図３は５本指手袋部の指先にポンポンを形成した実施例の説明図である。
【００２４】
符号の１は、綿糸を用いて編んだメリヤス生地製の肌着であって、この肌着１は、胴体部２の両側に袖部３を形成すると共に袖部３の先端には手袋部４が連続して形成されていると共に、首周り開口部５は、乳幼児の頭が楽に入る大きさに形成されている。
【００２５】
図２において、６は前記手袋部４の表面に形成されたメリヤス生地よりも滑り易い平滑層であって、この平滑層６は、手袋部４の全面に形成されていても良いし、手の平側半分に形成されていても良い。但し、本実施例の手袋部４のように、指が分れていない場合には、向きが必ずしも一定しないので、全体に形成しておく方が間違いがない。
【００２６】
また、手袋部４は、乳幼児の場合、５本の指をわざわざ分けて入れるよりは、そのまま入れておけるように形成した方が乳幼児にとっては楽であり、特に乳児は握っていることが多いため、袋状に形成した方が良い。
【００２７】
勿論、図３に示すように５本の指を分けて入れるように形成しても良く、この場合は手袋部４において手の平側にのみ平滑層６を形成する。また、５本指に分けた場合、指先が自由となり、掻き易いため、この手袋部４の場合には指部の先端にポンポン７を形成しておくようにすると掻きむしりの防止に有効である。
【００２８】
平滑層６は、肌に優しく、湿疹に悪い影響を与えない素材を貼り合わせるのが良く、この素材の例としては、天然由来の素材で成形した不織布等が考えられる。
【００２９】
肌着１の首周りは、開口部６を大きな穴形状とすることにより、この首周りの縁が湿疹に触れる率も少なく望ましい。
【００３０】
なお、穴の大きさを小さく形成し、この穴からスリットを形成して大きく開くように形成することも考えられるが、このようにスリットを入れたりすると、このスリット部分が湿疹に対して刺激の原因となるため、好ましくない。
【産業上の利用可能性】
【００３１】
１．乳幼児用肌着
２．乳幼児用寝間着
３．乳幼児用衣服
【符号の説明】
【００３２】
１  肌着
２  胴体部
３  袖部
４  手袋部
５  首周り開口部
６  平滑層
７  ポンポン
【図１】
0003156960.tif 000003
【図２】
0003156960.tif 000004
【図３】
0003156960.tif 000005
【手続補正書】
【提出日】平成21年11月17日(2009.11.17)
【手続補正１】
【補正対象書類名】実用新案登録請求の範囲
【補正対象項目名】全文
【補正方法】変更
【補正の内容】
【実用新案登録請求の範囲】
【請求項１】
胴体部と両長袖部及びこの両長袖部に続く両手袋部を連続して編み上げると共に首周りの開口部を大きく開放して成るメリヤス無縫製衣服。
【請求項２】
前記手袋部は、５本指構成又は親指と他の指を２つに分けた構成又は無指構成であることを特徴とする請求項１に記載のメリヤス無縫製衣服。
【請求項３】
前記手袋部の表面には、すべり層が形成されていることを特徴とする請求項１に記載のメリヤス無縫製衣服。
【請求項４】
前記首周り開口部の大きさを少くとも着用する者の頭の大きさ以上に形成して成ることを特徴とする請求項１に記載のメリヤス無縫製衣服。
【請求項５】
前記手袋部を５本指構成とした際は、その指先にポンポンを形成したことを特徴とする請求項２に記載のメリヤス無縫製衣服。
【手続補正２】
【補正対象書類名】明細書
【補正対象項目名】００１３
【補正方法】変更
【補正の内容】
【００１３】
上記課題を解決するため、請求項１に記載の衣服においては、胴体身頃と両長袖及びこの両長袖に続く両手袋部を連続して編み上げると共に首周りの開口部を大きく開放して成ることを特徴とするものである。
【手続補正３】
【補正対象書類名】明細書
【補正対象項目名】００１４
【補正方法】変更
【補正の内容】
【００１４】
更に、請求項２に記載の考案は、請求項１に記載の衣服において、手袋部は、５本指構成又は親指と他の指を２つに分けた構成又は無指構成であることを特徴とするものである。
【手続補正４】
【補正対象書類名】明細書
【補正対象項目名】００１５
【補正方法】変更
【補正の内容】
【００１５】
更に、請求項３に記載の考案は、請求項１に記載の衣服において、手袋部の表面には、すべり層が形成されていることを特徴とするものである。
【手続補正５】
【補正対象書類名】明細書
【補正対象項目名】００１６
【補正方法】変更
【補正の内容】
【００１６】
更に、請求項４に記載の考案は、請求項１に記載の衣服において、首周りの開口部の大きさを少くとも着用する者の頭の大きさ以上に形成して成ることを特徴とするものである。更に、請求項５に記載の考案は、請求項２に記載の衣服において、前記手袋部を５本指構成とした際は、その指先にポンポンを形成したことを特徴とするものである。
【手続補正６】
【補正対象書類名】明細書
【補正対象項目名】００１７
【補正方法】変更
【補正の内容】
【００１７】
本考案の効果は次のとおりである。
１．胴身頃及び両袖、手袋部をメリヤス製としたことにより、縫い目の一切無い肌着や寝間着とすることができる。この結果、従来の衣服のように、縫い目が肌を刺激しない。
２．首周り開口部を大きく開いたことにより、アトピー性皮膚炎が特に集中しやすい首周りにおいて肌着や寝間着の開口縁部で擦れ、患部を刺激しない。
３．首周り開口部を頭以上の大きさとしたことにより、肌着の着脱に無理が無く、着脱時に首等の湿疹部を擦ることがない。
４．メリヤス製のため、伸縮性に富み着用感が良い。
【手続補正７】
【補正対象書類名】明細書
【補正対象項目名】００１８
【補正方法】変更
【補正の内容】
【００１８】
【図１】本考案に係る肌着の説明図である。
【図２】手袋部部分を滑らかに形成した実施例の説明図である。
【図３】５本指の先端にポンポンを形成した実施例の説明図である。
【手続補正８】
【補正対象書類名】明細書
【補正対象項目名】００２３
【補正方法】変更
【補正の内容】
【００２３】
図１は肌着全体を示す正面図、図２は手袋部部分の断面図、図３は５本指手袋部の指先にポンポンを形成した実施例の説明図である。